(57)【要約】  【課題】受信したＦＡＸを携帯端末で閲覧し、閲覧したＦＡＸにコメントを書き込んで直接携帯端末から送信元へ返信することができる。【解決手段】サーバは、外部のＦＡＸ送受信装置からＦＡＸデータを受信し、受信したＦＡＸデータを携帯端末で閲覧可能な画像データに変換し、変換した画像データを携帯端末へ送信する。携帯端末は、画像データを受信し、受信した画像データを表示手段に表示する。携帯端末の入力手段は、表示手段に表示された画像データに追加するテキストを入力し、入力されたテキストはサーバに送信される。サーバは、送信されたテキストを受信し、受信したテキストを記憶手段に記憶された画像データに重ねた送信用画像データを生成し、生成した送信用画像データをＦＡＸデータに変換し、変換したＦＡＸデータを外部のＦＡＸ送受信装置へ送信する。【選択図】  図５
2010061225.tif 000002
【特許請求の範囲】
【請求項１】
外部のＦＡＸ送受信装置と公衆回線を介して接続されたサーバと、該サーバと無線により接続された携帯端末とで構成されたＦＡＸ閲覧システムであって、
前記サーバは、
前記外部のＦＡＸ送受信装置からＦＡＸデータを受信する第１の通信手段と、
前記第１の通信手段により受信されたＦＡＸデータを前記携帯端末で閲覧可能な画像データに変換する変換手段と、
前記変換手段により変換された画像データを記憶する記憶手段と、
前記記憶手段に記憶された画像データを前記携帯端末へ送信する第２の通信手段と、
前記記憶手段に記憶された画像データに基づいて前記ＦＡＸ送受信装置へ送信する画像データを生成する画像生成手段と、を備え、
前記携帯端末は、
表示手段と、
前記第２の通信手段により送信された画像データを受信する第３の通信手段と、
前記第３の通信手段により受信された画像データを前記表示手段に表示する表示制御手段と、
前記表示制御手段により前記表示手段に表示された画像データに追加するテキストを入力する入力手段と、を備え、
前記第３の通信手段は、前記入力手段により入力されたテキストをサーバへ送信し、
前記第２の通信手段は、前記第３の通信手段から送信されたテキストを受信し、
前記画像生成手段は、前記第２の通信手段により受信されたテキストを前記画像データ上に合成した送信用画像データを生成し、
前記変換手段は、前記画像生成手段により生成された送信用画像データをＦＡＸデータに変換し、
前記第１の通信手段は、前記変換手段により変換されたＦＡＸデータを前記外部のＦＡＸ送受信装置へ送信することを特徴とするＦＡＸ閲覧システム。
【請求項２】
前記サーバは、前記記憶手段に記憶された画像データから所定の大きさ以上の余白をテキスト書込領域として検出するテキスト書込領域検出手段を備え、
前記画像生成手段は、前記テキスト書込領域検出手段により検出されたテキスト書込領域に前記テキストを合成することにより送信用画像データを生成することを特徴とする請求項１に記載のＦＡＸ閲覧システム。
【請求項３】
前記サーバは、前記テキスト書込領域検出手段により検出されたテキスト書込領域の範囲を示す情報を前記変換手段により変換された画像データ上に合成した画像を生成する合成手段を備え、
前記第３の通信手段は、前記合成手段により生成された画像を受信し、
前記表示制御手段は、前記合成手段により生成された画像を前記表示手段に表示することを特徴とする請求項２に記載のＦＡＸ閲覧システム。
【請求項４】
前記テキスト書込領域検出手段は、前記画像データから複数のテキスト書込領域を検出すると、前記画像データから複数のテキスト書込領域が検出されたことを示す情報を生成し、
前記第２の通信手段は、前記画像データから複数のテキスト書込領域が検出されたことを示す情報を前記携帯端末に送信し、
前記第３の通信手段は、前記画像データから複数のテキスト書込領域が検出されたことを示す情報を受信し、
前記表示制御手段は、前記第３の通信手段により受信した前記画像データから複数のテキスト書込領域が検出されたことを示す情報に基づいて、前記複数のテキスト書込領域の選択用の表示を前記表示手段に表示し、
前記入力手段は、前記表示制御手段により前記表示手段に表示された複数のテキスト書込領域の選択用の表示に基づいて所望のテキスト書込領域の選択を入力し、
前記第３の通信手段は、前記入力手段により選択されたテキスト書込領域の情報を前記サーバへ出力し、
前記第２の通信手段は、前記第３の通信手段により出力されたテキスト書込領域の情報を受信し、
前記画像生成手段は、前記第２の通信手段により情報が受信されたテキスト書込領域に前記テキストを合成することにより送信用画像データを生成することを特徴とする請求項２又は３に記載のＦＡＸ閲覧システム。
【請求項５】
前記サーバは、前記テキスト書込領域検出手段により検出されたテキスト書込領域に前記テキストが表示可能かどうかを判定する判定手段を備え、
前記画像生成手段は、前記判定手段により前記テキスト書込領域に前記テキストを表示可能であると判断された場合に、前記テキスト書込領域に前記テキストを合成することにより送信用画像データを生成することを特徴とする請求項２から４のいずれかに記載のＦＡＸ閲覧システム。
【請求項６】
前記第２の通信手段は、前記画像生成手段により生成された送信用画像データを前記携帯端末へ送信し、
前記第３の通信手段は、前記第２の通信手段により送信された送信用画像データを受信し、
前記表示制御手段は、前記第３の通信手段により受信された送信用画像データを前記表示手段に表示し、
前記入力手段は、前記表示手段に表示された送信用画像データで問題ないことを示す結果を入力し、
前記変換手段は、前記入力手段により前記表示手段に表示された送信用画像データで問題ないことを示す結果が入力された場合に、前記送信用画像データをＦＡＸデータに変換することを特徴とする請求項１から５のいずれかに記載のＦＡＸ閲覧システム。
【請求項７】
前記サーバは、前記通信手段によりＦＡＸデータが受信されると、前記携帯端末へ送信するメールであって、ＦＡＸデータを受信したことを示すメールを生成するメール生成手段を備え、
前記第２の通信手段は、前記メール生成手段により生成されたメールを前記携帯端末へ送信することを特徴とする請求項１から６のいずれかに記載のＦＡＸ閲覧システム。
【請求項８】
前記第１の通信手段は、前記ＦＡＸデータと共に当該ＦＡＸデータの送信元のＦＡＸ番号を含む送信元情報と、受信日時とを受信し、
前記記憶手段は、前記変換手段により変換された画像データと、当該画像データの基となるＦＡＸデータの送信元情報と、受信日時とを紐付けて記憶し、
前記サーバは、前記記憶手段に記憶された画像データの一覧を表す一覧画像であって、前記画像データに紐付けて記憶された送信元情報及び受信日時が一覧表示された一覧画像を生成する一覧画像生成手段を備え、
前記記憶手段は、前記一覧画像生成手段により生成された一覧画像を記憶し、
前記メール生成手段は、前記記憶手段に記憶された一覧画像のＵＲＬが記載されたメールを生成することを特徴とする請求項７に記載のＦＡＸ閲覧システム。
【請求項９】
請求項１から８のいずれかに記載のＦＡＸ閲覧システムを構成するサーバ。
【発明の詳細な説明】
【技術分野】
【０００１】
本発明はＦＡＸ閲覧システム及びサーバに係り、特に携帯端末でＦＡＸの閲覧及び返信が可能なＦＡＸ閲覧システム及びサーバに関する。
【背景技術】
【０００２】
携帯電話向けのＦＡＸ送受信サービスとして、特許文献１、２には、携帯電話のメールからＦＡＸ送信を可能にするシステムが開示されている。
【０００３】
また、特許文献３には、ＦＡＸから送信されたデータを変換し、携帯電話で閲覧可能にするシステムが開示されている。
【０００４】
さらに、特許文献４には、ＦＡＸ機器にＦＡＸが届いた事を携帯電話にメールで通知するシステムが開示されている。
【特許文献１】特開２００１−２１７８６２号公報
【特許文献２】特開２００３−２１９０２８号公報
【特許文献３】特開２００１−１６７０１５号公報
【特許文献４】特開２００４−２２１７２２号公報
【発明の開示】
【発明が解決しようとする課題】
【０００５】
しかしながら、特許文献１〜４に記載された発明は、携帯電話からメールでＦＡＸを送信するだけのものや、ＦＡＸ機器から携帯電話に変換データを送信するだけのものなど、データを単方向に送信する事に特化したシステムであり、携帯電話とＦＡＸ機器の双方向で効率的なデータの送受信を可能にするようなシステムは提案されていない。
【０００６】
本発明はこのような事情に鑑みてなされたもので、受信したＦＡＸを携帯端末で閲覧し、閲覧したＦＡＸにコメントを書き込んで直接携帯端末から送信元へ返信することができるＦＡＸ閲覧システム及びサーバを提供することを目的とする。
【課題を解決するための手段】
【０００７】
請求項１に記載のＦＡＸ閲覧システムは、外部のＦＡＸ送受信装置と公衆回線を介して接続されたサーバと、該サーバと無線により接続された携帯端末とで構成されたＦＡＸ閲覧システムであって、前記サーバは、前記外部のＦＡＸ送受信装置からＦＡＸデータを受信する第１の通信手段と、前記第１の通信手段により受信されたＦＡＸデータを前記携帯端末で閲覧可能な画像データに変換する変換手段と、前記変換手段により変換された画像データを記憶する記憶手段と、前記記憶手段に記憶された画像データを前記携帯端末へ送信する第２の通信手段と、前記記憶手段に記憶された画像データに基づいて前記ＦＡＸ送受信装置へ送信する画像データを生成する画像生成手段と、を備え、前記携帯端末は、表示手段と、前記第２の通信手段により送信された画像データを受信する第３の通信手段と、前記第３の通信手段により受信された画像データを前記表示手段に表示する表示制御手段と、前記表示制御手段により前記表示手段に表示された画像データに追加するテキストを入力する入力手段と、を備え、前記第３の通信手段は、前記入力手段により入力されたテキストをサーバへ送信し、前記第２の通信手段は、前記第３の通信手段から送信されたテキストを受信し、前記画像生成手段は、前記第２の通信手段により受信されたテキストを前記画像データ上に合成した送信用画像データを生成し、前記変換手段は、前記画像生成手段により生成された送信用画像データをＦＡＸデータに変換し、前記第１の通信手段は、前記変換手段により変換されたＦＡＸデータを前記外部のＦＡＸ送受信装置へ送信することを特徴とする。
【０００８】
請求項１に記載のＦＡＸ閲覧システムによれば、サーバは、外部のＦＡＸ送受信装置からＦＡＸデータを受信し、受信したＦＡＸデータを携帯端末で閲覧可能な画像データに変換し、変換した画像データを携帯端末へ送信する。携帯端末は、画像データを受信し、受信した画像データを表示手段に表示する。携帯端末の入力手段は、表示手段に表示された画像データに追加するテキストを入力し、入力されたテキストはサーバに送信される。サーバは、送信されたテキストを受信し、受信したテキストを記憶手段に記憶された画像データ上に合成した送信用画像データを生成し、生成した送信用画像データをＦＡＸデータに変換し、変換したＦＡＸデータを外部のＦＡＸ送受信装置へ送信する。これにより、受信したＦＡＸを携帯端末で閲覧し、閲覧したＦＡＸにコメントを書き込んで直接携帯端末から送信元へ返信することができる。
【０００９】
請求項２に記載のＦＡＸ閲覧システムは、請求項１に記載のＦＡＸ閲覧システムにおいて、前記サーバは、前記記憶手段に記憶された画像データから所定の大きさ以上の余白をテキスト書込領域として検出するテキスト書込領域検出手段を備え、前記画像生成手段は、前記テキスト書込領域検出手段により検出されたテキスト書込領域に前記テキストを合成することにより送信用画像データを生成することを特徴とする。
【００１０】
請求項２に記載のＦＡＸ閲覧システムによれば、画像データから所定の大きさ以上の余白をテキスト書込領域として検出し、検出されたテキスト書込領域にテキストを合成することにより送信用画像データを生成する。これにより、送信用のＦＡＸの視認性を良くすることができる。
【００１１】
請求項３に記載のＦＡＸ閲覧システムは、請求項２に記載のＦＡＸ閲覧システムにおいて、前記サーバは、前記テキスト書込領域検出手段により検出されたテキスト書込領域の範囲を示す情報を前記変換手段により変換された画像データ上に合成した画像を生成する合成手段を備え、前記第３の通信手段は、前記合成手段により生成された画像を受信し、前記表示制御手段は、前記合成手段により生成された画像を前記表示手段に表示することを特徴とする。
【００１２】
請求項３に記載のＦＡＸ閲覧システムによれば、検出されたテキスト書込領域を画像データ上に合成した画像を生成し、生成された画像が表示手段に表示される。これにより、入力されるテキストが画像データのどこに書き込まれるかをユーザが予め認識することができる。
【００１３】
請求項４に記載のＦＡＸ閲覧システムは、請求項２又は３に記載のＦＡＸ閲覧システムにおいて、前記テキスト書込領域検出手段は、前記画像データから複数のテキスト書込領域を検出すると、前記画像データから複数のテキスト書込領域が検出されたことを示す情報を生成し、前記第２の通信手段は、前記画像データから複数のテキスト書込領域が検出されたことを示す情報を前記携帯端末に送信し、前記第３の通信手段は、前記画像データから複数のテキスト書込領域が検出されたことを示す情報を受信し、前記表示制御手段は、前記第３の通信手段により受信した前記画像データから複数のテキスト書込領域が検出されたことを示す情報に基づいて、前記複数のテキスト書込領域の選択用の表示を前記表示手段に表示し、前記入力手段は、前記表示制御手段により前記表示手段に表示された複数のテキスト書込領域の選択用の表示に基づいて所望のテキスト書込領域の選択を入力し、前記第３の通信手段は、前記入力手段により選択されたテキスト書込領域の情報を前記サーバへ出力し、前記第２の通信手段は、前記第３の通信手段により出力されたテキスト書込領域の情報を受信し、前記画像生成手段は、前記第２の通信手段により情報が受信されたテキスト書込領域に前記テキストを合成することにより送信用画像データを生成することを特徴とする。
【００１４】
請求項４に記載のＦＡＸ閲覧システムによれば、複数のテキスト書込領域が検出されると、画像データから複数のテキスト書込領域が検出されたことを示す情報が生成され、複数のテキスト書込領域が検出されたことを示す情報がサーバから携帯端末に送信される。携帯端末は、送信された情報に基づいて、複数のテキスト書込領域の選択用の表示を表示手段に表示する。携帯端末の入力手段は、所望のテキスト書込領域の選択を入力し、入力されたテキスト書込領域の情報はサーバに送信される。サーバは、送信されたテキスト書込領域の情報を受信し、このテキスト書込領域にテキストを合成することにより送信用画像データを生成する。これにより、ユーザの希望に沿った送信用画像データを生成することができる。
【００１５】
請求項５に記載のＦＡＸ閲覧システムは、請求項２から４のいずれかに記載のＦＡＸ閲覧システムにおいて、前記サーバは、前記テキスト書込領域検出手段により検出されたテキスト書込領域に前記テキストが表示可能かどうかを判定する判定手段を備え、前記画像生成手段は、前記判定手段により前記テキスト書込領域に前記テキストを表示可能であると判断された場合に、前記テキスト書込領域に前記テキストを合成することにより送信用画像データを生成することを特徴とする。
【００１６】
請求項５に記載のＦＡＸ閲覧システムによれば、サーバは、検出されたテキスト書込領域にテキストが表示可能かどうかを判定し、テキスト書込領域にテキストは表示可能であると判断された場合にはテキスト書込領域にテキストを合成することにより送信用画像データを生成する。これにより、視認性のよい送信用画像データを生成することができる。
【００１７】
請求項６に記載のＦＡＸ閲覧システムは、請求項１から５のいずれかに記載のＦＡＸ閲覧システムにおいて、前記第２の通信手段は、前記画像生成手段により生成された送信用画像データを前記携帯端末へ送信し、前記第３の通信手段は、前記第２の通信手段により送信された送信用画像データを受信し、前記表示制御手段は、前記第３の通信手段により受信された送信用画像データを前記表示手段に表示し、前記入力手段は、前記表示手段に表示された送信用画像データで問題ないことを示す結果を入力し、前記変換手段は、前記入力手段により前記表示手段に表示された送信用画像データで問題ないことを示す結果が入力された場合に、前記送信用画像データをＦＡＸデータに変換することを特徴とする。
【００１８】
請求項６に記載のＦＡＸ閲覧システムによれば、サーバは、生成された送信用画像データを携帯端末へ送信し、携帯端末は、送信された送信用画像データを受信して、表示手段に表示する。携帯端末の入力手段は、表示手段に表示された送信用画像データで問題ないことを示す結果を入力し、サーバはこれを受信すると、送信用画像データをＦＡＸデータに変換して、外部のＦＡＸ装置へ送信する。これにより、ユーザが送信前の送信用画像データを確認することができる。
【００１９】
請求項７に記載のＦＡＸ閲覧システムは、請求項１から６のいずれかに記載のＦＡＸ閲覧システムにおいて、前記サーバは、前記通信手段によりＦＡＸデータが受信されると、前記携帯端末へ送信するメールであって、ＦＡＸデータを受信したことを示すメールを生成するメール生成手段を備え、前記第２の通信手段は、前記メール生成手段により生成されたメールを前記携帯端末へ送信することを特徴とする。
【００２０】
請求項７に記載のＦＡＸ閲覧システムによれば、サーバは、ＦＡＸデータが受信されると、携帯端末へ送信するメールであって、ＦＡＸデータを受信したことを示すメールを生成し、携帯端末へ送信する。これにより、携帯端末を所持しているユーザは、ＦＡＸが受信されたことを知ることができる。
【００２１】
請求項８に記載のＦＡＸ閲覧システムは、請求項７に記載のＦＡＸ閲覧システムにおいて、前記第１の通信手段は、前記ＦＡＸデータと共に当該ＦＡＸデータの送信元のＦＡＸ番号を含む送信元情報と、受信日時とを受信し、前記記憶手段は、前記変換手段により変換された画像データと、当該画像データの基となるＦＡＸデータの送信元情報と、受信日時とを紐付けて記憶し、前記サーバは、前記記憶手段に記憶された画像データの一覧を表す一覧画像であって、前記画像データに紐付けて記憶された送信元情報及び受信日時が一覧表示された一覧画像を生成する一覧画像生成手段を備え、前記記憶手段は、前記一覧画像生成手段により生成された一覧画像を記憶し、前記メール生成手段は、前記記憶手段に記憶された一覧画像のＵＲＬが記載されたメールを生成することを特徴とする。
【００２２】
請求項８に記載のＦＡＸ閲覧システムによれば、サーバは、ＦＡＸデータと共に当該ＦＡＸデータの送信元のＦＡＸ番号を含む送信元情報と、受信日時とを受信し、これらを紐付けて記憶手段に記憶する。サーバは、記憶手段に記憶された画像データの一覧を表す一覧画像であって、画像データに紐付けられた送信元情報及び受信日時が一覧表示された一覧画像を生成して記憶し、記憶手段に記憶された一覧画像のＵＲＬが記載されたメールを生成して携帯端末へ送信する。これにより、受信したＦＡＸの一覧を携帯端末で見ることができる。
【００２３】
請求項９に記載のサーバは、請求項１から８のいずれかに記載のＦＡＸ閲覧システムを構成する。
【発明の効果】
【００２４】
本発明によれば、受信したＦＡＸを携帯端末で閲覧し、閲覧したＦＡＸにコメントを書き込んで直接携帯端末から送信元へ返信することができる。
【発明を実施するための最良の形態】
【００２５】
＜第１の実施の形態＞
図１は、本実施の形態のＦＡＸ閲覧システム１の全体構造の概略図である。ＦＡＸ閲覧システム１は、主として、サーバ１００と、携帯電話２００と、ＦＡＸ送受信装置３００とで構成され、サーバ１００と携帯電話２００とは、インターネットなどの回線を通じて無線で接続されており、サーバ１００はＦＡＸ送受信装置３００と接続されている。ＦＡＸ送受信装置３００は、公衆回路網を介して相手先のＦＡＸ装置と接続されている。なお、図１では、携帯電話２００は１つだけ図示されているが、複数の携帯電話がサーバ１００に接続されているものとする。
【００２６】
サーバ１００は、主として、制御部１０１と、通信部１０２と、画像変換部（１）１０３と、メール生成部１０４と、データベース（ＤＢ）１０５と、一覧画像生成部１０６と、余白検出部１０７と、書き込み領域表示部１０８と、テキスト入力部１０９と、入力可否判定部１１０と、画像生成部１１１と、プレビュー画像生成部１１２と、画像変換部（２）１１３とで構成される。携帯電話２００は、主として、制御部２０１と、表示制御部２０２と、モニタ２０３と、入力部２０４と、通信部２０５とで構成される。
【００２７】
サーバ１００の各構成要素について説明する。
【００２８】
制御部１０１は、サーバ１００の全体の動作を統括制御する制御手段として機能するとともに、各種の演算処理を行う演算手段として機能する。制御部１０１は、制御プログラムであるファームウェア、制御に必要な各種データ、入力部２０４（後に詳述）でテキストを入力するためのテキスト入力画面（図５（ｃ）参照）や、テキストのフォントや文字サイズなどを入力する枠線・フォント指定画面（図５（ｄ）参照）などの各種ユーザインターフェース用のデータ等を記憶するメモリ領域を有する。また、制御部１０１は、制御部１０１の作業用領域として利用されるメモリ領域を有する。
【００２９】
通信部１０２は、ＦＡＸ送受信装置３００（後に詳述）が受信したＦＡＸデータ、当該ＦＡＸを送信した相手先のＦＡＸ送受信装置のＦＡＸ番号を含む送信元情報及び、当該ＦＡＸを受信した受信日時の情報と、ＦＡＸ送受信装置３００がＦＡＸを送信したときの送信先及び送信日時の情報とを取得する。また、通信部１０２は、サーバ１００で生成された送信用のＦＡＸデータをＦＡＸ送受信装置３００に送信する。更に、通信部１０２は、携帯電話２００（後に詳述）に画像データなどを出力し、携帯電話２００から送信されたテキストデータなどを取得する。
【００３０】
画像変換部（１）１０３は、通信部１０２で取得したＦＡＸデータを、jpeg、ビットマップなど携帯電話２００で閲覧可能な形式の画像データ（以下、受信ＦＡＸ画像データという）に変換する。ＦＡＸデータも画像データであるが、携帯電話２００のモニタ２０３には表示できない形式であるためである。画像変換部（１）１０３は、変換された画像データを制御部１０１を介してＤＢ１０５に出力する。
【００３１】
メール生成部１０４は、通信部１０２がＦＡＸデータを取得すると、制御部１０１の指令に基づき、ＤＢ１０５に保存された通知先携帯電話管理テーブル（後に詳述）に登録された携帯電話のアドレスへ送信するメールを生成する。メールは、ＦＡＸを受信したことを示すものであり、ＤＢ１０５に保存された当該ユーザの一覧画像（後に詳述）のＵＲＬが記載されている。メール生成部１０４は、生成したメールを送信先のアドレスと共に通信部１０２に出力する。
【００３２】
ＤＢ１０５は、ＦＡＸ送受信装置３００が受信したＦＡＸに関する情報が保存された受信ＦＡＸデータ管理テーブル（図２参照）と、送信元情報と携帯電話との関連付けを行う通知先携帯電話管理テーブル（図３参照）と、ＦＡＸ送受信装置３００から送信したＦＡＸに関する情報が保存された送信ＦＡＸデータ管理テーブル（図４参照）とを記憶する。
【００３３】
受信ＦＡＸデータ管理テーブルのデータ構造を図２に示す。受信ＦＡＸデータ管理テーブルには、画像変換部（１）１０３で変換された受信ＦＡＸ画像データと、そのＦＡＸの送信元情報と、そのＦＡＸの受信日時と、その受信ＦＡＸ画像データが携帯電話２００からアクセスされたか否か、すなわち未読・既読の状態を示す情報と、受信ＦＡＸ画像データのＩＤとが関連付けて保存される。なお、受信ＦＡＸ画像データのＩＤは、管理目的で各受信ＦＡＸ画像データに一意に割り当てられた数値や文字列である。
【００３４】
受信ＦＡＸデータ管理テーブルは、通信部１０２がＦＡＸデータを取得したことが制御部１０１を介してＤＢ１０５に入力されることにより更新される。受信ＦＡＸ画像データは画像変換部（１）１０３から制御部１０１を介してＤＢ１０５に入力され、送信元情報及び受信日時は通信部１０２から制御部１０１を介してＤＢ１０５に入力される。未読・既読の状態を示す情報は、制御部１０１により制御される。
【００３５】
通知先携帯電話管理テーブルのデータ構造を図３に示す。通知先携帯電話管理テーブルは、ＦＡＸの送信元情報と、この送信元情報を送信する通知先の携帯電話のアドレスとが関連付けて保存される。
【００３６】
通知先携帯電話管理テーブルは、送信元情報で通知先の携帯電話の振り分けを行うためのデータであり、図示しないサーバ１００の入力手段によりＤＢ１０５に入力される。通知先携帯電話管理テーブルの更新は、図示しないサーバ１００の入力手段により行われる。
【００３７】
送信ＦＡＸデータ管理テーブルのデータ構造を図４に示す。送信ＦＡＸデータ管理テーブルは、ＦＡＸ送受信装置３００からＦＡＸを送信した送信元情報と、そのＦＡＸの送信日時と、画像変換部（２）１１３（後に詳述）でＦＡＸデータに変換される前の画像データ（以下、送信ＦＡＸ画像データという）と、送信ＦＡＸ画像データのＩＤとが関連付けて保存される。なお、送信ＦＡＸ画像データのＩＤは、管理目的で各送信ＦＡＸ画像データに一意に割り当てられた数値や文字列である。
【００３８】
送信ＦＡＸデータ管理テーブルは、ＦＡＸ送受信装置３００がＦＡＸを送信したことが通信部１０２及び制御部１０１を介してＤＢ１０５に入力されることにより更新される。送信ＦＡＸ画像データは画像生成部１１１からＤＢ１０５に入力され、送信元情報及び受信日時は通信部１０２から制御部１０１を介してＤＢ１０５に入力される。
【００３９】
一覧画像生成部１０６は、制御部１０１からＦＡＸを受信したことを示す情報が入力されると、ＤＢ１０５に保存された通知先携帯電話管理テーブルと、ＦＡＸ受信データ管理テーブルとを取得し、これらのテーブルのデータに基づいて一覧画像を生成する。一覧画像とは、図５（ａ）に示すように、そのユーザが通知先として通知先携帯電話管理テーブルに保存されている送信元から送信されたＦＡＸの送信元情報と、受信日時と、未読か既読の状態とが一覧で表示された画像である。
【００４０】
一覧画像生成部１０６は、一覧画像と共に、受信ＦＡＸ画像データのアドレスへのリンクを作成し、一覧画像の対応する送信元情報に貼り付ける。また、一覧画像生成部１０６は、書き込み領域表示画像を送信するプログラムへのリンクを作成し、一覧表示の「返信」の文字に貼り付けることで返信ボタンを作成する。
【００４１】
一覧画像生成部１０６は、一覧画像をユーザ毎に生成され、ユーザが通知先とされた送信元からのＦＡＸが受信されたことが制御部１０１から入力されると、そのユーザの一覧画像を更新する。
【００４２】
一覧画像生成部１０６は、生成した一覧画像をＤＢ１０５に入力し、ＤＢ１０５は、一覧画像をＤＢ１０５内のmy fax boxフォルダ内に保存する。
【００４３】
余白検出部１０７は、ＤＢ１０５に保存された受信ＦＡＸ画像データから所定の大きさ（例えば、縦が１００ピクセル以上かつ横が２００ピクセル以上）以上の余白をテキスト書込領域として検出する。余白検出部１０７は、入力部２０４（後に詳述）で一覧画像の「返信」の文字が選択入力されたことが通信部１０２から入力されることにより、自動的に余白の検出を行う。余白検出部１０７は、検出結果を書き込み領域表示部１０８に入力する。
【００４４】
書き込み領域表示部１０８は、余白検出部１０７から検出結果が入力されると、図５（ｂ）に示すように、ＤＢ１０５に保存された受信ＦＡＸ画像データに、この受信ＦＡＸ画像データから余白検出部１０７で検出されたテキスト書込領域を示す枠を表示した画像である書き込み領域表示画像を生成する。書き込み領域表示部１０８は、生成した書き込み領域表示画像を通信部１０２及びテキスト入力部１０９に入力する。なお、テキスト書込領域を示す方法は、枠に限らず、色分けなど様々な方法を用いることができる。
【００４５】
テキスト入力部１０９は、入力部２０４（後に詳述）で入力されたテキストの情報と、フォント、文字サイズなどの情報とが通信部１０２から入力され、これらの情報を入力可否判定部１１０へ入力する。
【００４６】
入力可否判定部１１０は、テキスト入力部１０９から入力されたテキストを、テキスト入力部１０９から入力されたフォント及び文字サイズで受信ＦＡＸ画像データのテキスト書込領域に書き込んだ場合に、入力されたテキストが全て書き込み領域内に収まるかどうかの判定を行う。
【００４７】
画像生成部１１１は、受信ＦＡＸ画像データのテキスト書込領域に、入力部２０４（後に詳述）で入力されたテキストを、入力部２０４から入力されたフォント、文字サイズでテキストを入力した画像を生成する。画像生成部１１１は、生成した画像をプレビュー画像生成部１１２へ入力する。
【００４８】
プレビュー画像生成部１１２は、画像生成部１１１から入力された送信用ＦＡＸ画像データをプレビュー画像として通信部１０２に出力する。また、プレビュー画像生成部１１２は、入力部２０４（後述）から通信部１０２を介してプレビュー画像の内容で問題ないことが入力されると、プレビュー画像を画像変換部（２）１１３に入力する。
【００４９】
画像変換部（２）１１３は、プレビュー画像生成部１１２から入力されたプレビュー画像をＦＡＸデータの形式に変換する。画像変換部（２）１１３は、変換されたＦＡＸデータを通信部１０２に出力する。なお、本実施の形態では、画像変換部（１）１０３と画像変換部（２）１１３との２個の画像変換部を設けたが、画像変換部（１）１０３及び画像変換部（２）１１３の両方の機能を備えた画像変換部を１つ設けるようにしてもよい。
【００５０】
携帯電話２００の各構成要素について説明する。
【００５１】
制御部２０１は、携帯電話２００の全体の動作を統括制御する制御手段として機能するとともに、各種の演算処理を行う演算手段として機能する。
【００５２】
制御部２０１は、制御プログラムであるファームウェア、制御に必要な各種データ等を記憶するメモリ領域を有する。また、制御部２０１は、制御部２０１の作業用領域として利用されるメモリ領域を有する。
【００５３】
表示制御部２０２は、制御部２０１からの指令に従い、モニタ２０３への表示を制御する。すなわち、表示制御部２０２は、通信部２０５から、受信ＦＡＸ画像データ、書き込み領域表示画像（図５（ｂ）参照）、プレビュー画像（図５（ｅ）参照）が入力されると、入力されたデータをモニタ２０３に表示するための映像信号（たとえば、ＮＴＳＣ信号やＰＡＬ信号、ＳＣＡＭ信号）に変換してモニタ２０３に出力する。
【００５４】
モニタ２０３は、カラー表示が可能な液晶ディスプレイであり、各種入力操作を行なう際のユーザインターフェース表示パネルとして利用される。
【００５５】
入力部２０４は、キーボード、テンキー、十字キー、スクロールボタンなどで構成される。入力部２０４は、モニタ２０３に表示されたユーザインターフェースを用いてテキスト、フォント、文字サイズなどの入力を行う。
【００５６】
通信部２０５は、サーバ１００から送信された情報を取得し、制御部２０１、表示制御部２０２などに出力する。また、通信部２０５は、制御部２０１、入力部２０４などから入力された情報を取得し、サーバ１００へ送信する。
【００５７】
ＦＡＸ送受信装置３００は、相手先のＦＡＸ装置からＦＡＸを受信すると、受信したＦＡＸデータと、当該ＦＡＸデータの送信元情報と、当該ＦＡＸを受信した受信日時の情報とをサーバ１００に送信する。また、ＦＡＸ送受信装置３００は、サーバ１００から出力されたＦＡＸデータを、公衆回路網を介して相手先のＦＡＸ装置へ送信し、送信日時の情報等をサーバ１００へ送信する
次に、このように形成されたＦＡＸ閲覧システム１の作用について説明する。まず、ＦＡＸ受信、閲覧フローについて説明する。
【００５８】
ＦＡＸ送受信装置３００は、相手先のＦＡＸ装置からＦＡＸを受信する（ステップＳ１０）と、受信したＦＡＸデータ、送信元情報及び日付情報をサーバ１００に送信する（ステップＳ１２）。
【００５９】
通信部１０２は、ＦＡＸデータ、送信元情報及び受信日時を受信すると、ＦＡＸデータを画像変換部（１）１０３に出力し、画像変換部（１）１０３は、入力されたＦＡＸデータを携帯電話２００で閲覧可能な受信ＦＡＸ画像データに変換する（ステップＳ１４）。受信ＦＡＸ画像データは、画像変換部（１）１０３から制御部１０１へ出力される。
【００６０】
通信部１０２は、送信元情報及び受信日時を制御部１０１に出力する。制御部１０１は、送信元情報及び受信日時と、受信ＦＡＸ画像データとをＤＢ１０５に出力し、ＤＢ１０５は受信ＦＡＸ画像データ、送信元情報、受信日時などを関連付けて受信ＦＡＸデータ管理テーブルに保存する（ステップＳ１６）。
【００６１】
送信元情報及び受信日時が通信部１０２から制御部１０１へ入力されると、制御部１０１は、ＤＢ１０５から通知先携帯電話管理テーブルを取得し、メールの送信先のアドレスをメール生成部１０４に入力する。例えば、図３に示す通知先携帯電話管理テーブルがＤＢ１０５に保存されている場合には、03-1111-2222から送信されたＦＡＸを受信したことが制御部１０１に入力されると、制御部１０１はfoo@docomo.co.jpを送信先のアドレスとし、03-2222-3333から送信されたＦＡＸを受信したことが制御部１０１に入力されると、制御部１０１はhoge@docomo.co.jpを送信先のアドレスとし、03-3333-4444から送信されたＦＡＸを受信したことが制御部１０１に入力されると、制御部１０１はbar@docomo.co.jpを送信先のアドレスとする。ここでは、通知先携帯電話管理テーブルにおいて、携帯電話２００に割り振られているアドレスが送信先として設定されている場合について説明する。
【００６２】
メール生成部１０４は、制御部１０１からの入力に基づき、ＤＢ１０５のmy fax box内の携帯電話２００のユーザの一覧画像のＵＲＬが記載されたメールを携帯電話２００へ送信する（ステップＳ１８）。これにより、携帯電話２００のユーザは、メールを確認することで、自分宛のＦＡＸが届いたことを認識することができる。
【００６３】
入力部２０４が携帯電話２００のユーザの一覧画像のＵＲＬの選択入力をする（ステップＳ２０）と、制御部２０１はそれを認識し、通信部２０５を介して選択入力がされたことを示す情報をサーバ１００へ送信する。
【００６４】
制御部１０１は、通信部１０２を介して選択入力がされたことを示す情報を取得し、ＤＢ１０５から携帯電話２００のユーザの一覧画像と一覧画像に貼り付けられたリンク情報とを取得する。制御部１０１は、通信部１０２を介して一覧画像とリンク情報とを携帯電話２００へ送信する（ステップＳ２２）。
【００６５】
通信部２０５は一覧画像とリンク情報とを取得して表示制御部２０２に出力し、表示制御部２０２は、図５（ａ）に示すように、送信元情報にリンクが貼り付けられ、返信ボタンが表示された一覧画像をモニタ２０３に表示する（ステップＳ２４）。これにより、モニタ２０３には一覧画面が表示され、ユーザは、受信したＦＡＸの一覧を確認することができる。
【００６６】
ユーザはモニタ２０３に表示された一覧画面を確認しながら入力部２０４を操作して、閲覧したいＦＡＸ（図５（ａ）においては、送信元情報）を選択する（ステップＳ２６）。送信元情報にはその送信元情報に対応するＦＡＸの受信ＦＡＸ画像データへのリンクが貼り付けられているため、入力部２０４が閲覧したいＦＡＸの送信元情報を選択入力すると、制御部２０１は、通信部２０５を介して選択入力がされた受信ＦＡＸ画像データの要求をサーバ１００へ送信する。
【００６７】
制御部１０１は、通信部１０２を介して受信ＦＡＸ画像データの要求を取得する。制御部１０１は、ＤＢ１０５から受信ＦＡＸ画像データを取得し、通信部１０２を介して携帯電話２００へ送信する（ステップＳ２８）。
【００６８】
通信部２０５は、受信ＦＡＸ画像データを取得して表示制御部２０２に出力し、表示制御部２０２は、受信ＦＡＸ画像データをモニタ２０３に表示する（ステップＳ３０）。
【００６９】
これにより、受信したＦＡＸを携帯電話２００で閲覧することができる。制御部１０１は、図６に示すフローに基づいて携帯電話２００からＦＡＸの受信ＦＡＸ画像データへアクセスされることにより携帯電話２００でＦＡＸが閲覧されると、ＤＢ１０５に指令を出し、ＤＢ１０５は受信ＦＡＸデータ管理テーブルの未読・既読を示す情報を「未読」から「既読」へ変更する。
【００７０】
次に、ＦＡＸ返信フローについて図７を用いて説明する。図６に示すＦＡＸ受信、閲覧フローと同一の部分については、同一の符号を付し、詳細な説明を省略する。
【００７１】
ＦＡＸ送受信装置３００は、相手先のＦＡＸ装置からＦＡＸを受信し（ステップＳ１０）、ＦＡＸデータ、送信元情報及び日付情報をサーバ１００に送信する（ステップＳ１２）。
【００７２】
通信部１０２は、受信したＦＡＸデータを画像変換部（１）１０３に出力し、画像変換部（１）１０３は、入力されたＦＡＸデータを受信ＦＡＸ画像データに変換する（ステップＳ１４）。受信ＦＡＸ画像データは、画像変換部（１）１０３から制御部１０１へ出力される。
【００７３】
通信部１０２は、受信した送信元情報及び受信日時を制御部１０１に出力する。制御部１０１は、送信元情報及び受信日時と、受信ＦＡＸ画像データとをＤＢ１０５に出力し、ＤＢ１０５は受信ＦＡＸ画像データ、送信元情報、受信日時などを関連付けて受信ＦＡＸデータ管理テーブルに保存する（ステップＳ１６）。
【００７４】
制御部１０１は、ＤＢ１０５から通知先携帯電話管理テーブルを取得し、メールの送信先のアドレスをメール生成部１０４に入力する。メール生成部１０４は、制御部１０１からの入力に基づき、携帯電話２００のユーザの一覧画像のＵＲＬが記載されたメールを携帯電話２００へ送信する（ステップＳ１８）。
【００７５】
入力部２０４がサーバのＵＲＬの選択入力をする（ステップＳ２０）と、制御部２０１はそれを認識し、通信部２０５を介して選択入力がされたことを示す情報をサーバ１００へ送信する。
【００７６】
制御部１０１は、通信部１０２を介して選択入力がされたことを示す情報を取得し、ＤＢ１０５から携帯電話２００のユーザの一覧画像と一覧画像に貼り付けられたリンク情報とを取得する。制御部１０１は、通信部１０２を介して一覧画像とリンク情報とを携帯電話２００へ送信する（ステップＳ２２）。
【００７７】
通信部２０５は一覧画像及びリンク情報を取得して表示制御部２０２に出力し、表示制御部２０２は、図５（ａ）に示すように、送信元情報にリンクが貼り付けられ、返信ボタンが表示された一覧画像をモニタ２０３に表示する（ステップＳ２４）。これにより、モニタ２０３には一覧画面が表示され、ユーザは、受信したＦＡＸの一覧を確認することができる。
【００７８】
ユーザはモニタ２０３に表示された一覧画面を確認しながら入力部２０４を操作して、図５（ａ）に示す一覧画像において、返信したいＦＡＸの送信元情報の近傍に表示された返信ボタンを選択する（ステップＳ３２）。
【００７９】
制御部２０１はそれを認識し、通信部２０５を介して返信ボタンが選択入力されたことを示す情報をサーバ１００へ送信する。
【００８０】
制御部１０１は、通信部１０２を介して返信ボタンが選択入力されたことを示す情報を取得して、余白検出部１０７に指令を出す。余白検出部１０７は、指令に従い、ＤＢ１０５から返信対象の受信ＦＡＸ画像データを取得し、その受信ＦＡＸ画像データからテキスト書込領域を検出する。
【００８１】
余白検出部１０７における検出結果は書き込み領域表示部１０８に入力され、書き込み領域表示部１０８は書き込み領域表示画像を生成する（ステップＳ３６）。余白検出部１０７で複数のテキスト書込領域が検出された場合には、検出された全てのテキスト書込領域が書き込み領域の候補として書き込まれる。
【００８２】
書き込み領域表示部１０８は、生成した書き込み領域表示画像と、テキスト書込領域の情報とを通信部１０２に入力し、通信部１０２は書き込み領域表示画像とテキスト書込領域の情報とを携帯電話２００へ送信する。通信部２０５は書き込み領域表示画像とテキスト書込領域の情報とを取得し、制御部２０１に入力する。制御部２０１は、書き込み領域表示画像を表示制御部２０２に入力し、表示制御部２０２は入力された書き込み領域表示画像をモニタ２０３に表示する。それと共に、制御部２０１は、入力されたテキスト書込領域が複数ある場合には表示制御部２０２に指令を出し、表示制御部２０２は、テキスト書込領域の選択用のボタンを書き込み領域表示画像と共にモニタ２０３に表示する。
【００８３】
これにより、モニタ２０３には、図５（ｂ）に示すような書き込み領域表示画面が表示される（ステップＳ３８）。
【００８４】
ユーザはモニタ２０３に表示された書き込み領域表示画面を確認しながら入力部２０４を操作して、表示された書き込み領域から所望の書き込み領域を選択し、入力部２０４は選択された書き込み領域の選択入力を行う（ステップＳ４０）。
【００８５】
制御部２０１はそれを認識し、通信部２０５を介して選択入力された書き込み領域の情報をサーバ１００へ送信する。
【００８６】
制御部１０１は、通信部１０２を介して選択入力された書き込み領域の情報を取得する。また制御部１０１は、通信部１０２から書き込み領域の情報を入力可否判定部１１０に出力する。制御部１０１は、選択入力された書き込み領域の情報が入力されると、制御部１０１のメモリ領域に保存されたテキスト入力画像に返信先のＦＡＸ番号を入力し、通信部１０２に出力する（ステップＳ４２）。返信先のＦＡＸ番号は、ステップＳ２４で選択されたＦＡＸの送信元情報のＦＡＸ番号である。
【００８７】
通信部１０２はこのテキスト入力画像を携帯電話２００へ送信する。通信部２０５は、テキスト入力画像を取得して表示制御部２０２に出力し、表示制御部２０２は、テキスト表示画像をモニタ２０３に表示する。これにより、図５（ｃ）に示すようなテキスト入力画面がモニタ２０３に表示される（ステップＳ４４）。
【００８８】
テキスト入力画面とは、図５（ｃ）に示すように、返信先のＦＡＸ番号と、テキストを入力するための枠と、書き込み領域選択画像へのリンクが貼り付けられた「戻る」という文字と、枠線・フォント設定画像（後に詳述）へのリンクが貼り付けられた「次へ」という文字とが表示された画像である。ユーザはモニタ２０３に表示されたテキスト入力画面を確認しながら入力部２０４を操作して、返信するＦＡＸに書き込みたい内容をテキストで入力する（ステップＳ４６）。
【００８９】
ユーザは、テキストの入力が完了すると、入力部２０４を操作して「次へ」を選択入力する。制御部２０１は「次へ」が選択入力されたことを認識し、通信部２０５を介して「次へ」が選択入力されたことを示す情報と、入力されたテキストの情報とをサーバ１００へ送信する。
【００９０】
制御部１０１は、通信部１０２を介し「次へ」が選択入力されたことを示す情報とテキストの情報とを取得する。制御部１０１は、通信部１０２からとテキストの情報をテキスト入力部１０９に出力する。また、制御部１０１は、「次へ」が選択入力されたことを示す情報が入力されると、制御部１０１のメモリ領域に保存された枠線・フォント設定画像を通信部１０２に出力する（ステップＳ４８）。
【００９１】
通信部１０２はこの枠線・フォント設定画像を携帯電話２００へ送信する。通信部２０５は、枠線・フォント設定画像を取得して表示制御部２０２に出力し、表示制御部２０２はモニタ２０３に枠線・フォント設定画像を表示する。これにより、図５（ｄ）に示すような枠線・フォント設定画面がモニタ２０３に表示される（ステップＳ５０）。
【００９２】
枠線・フォント設定画面は、図５（ｄ）に示すように、枠線の有無、フォント、文字サイズの選択を行うためのものであり、枠線の選択用の選択枠と、フォントの選択用の選択枠と、文字サイズの選択用の選択枠と、テキスト入力画像へのリンクが貼り付けられた「戻る」という文字と、次の処理プログラムへのリンクが貼り付けられた「次へ」という文字とが表示された画像である。ユーザはモニタ２０３に表示された枠線・フォント設定画面を確認しながら入力部２０４を操作して、枠線の有無、フォント、文字サイズを選択入力する（ステップＳ５２）。
【００９３】
ユーザは、枠線の有無、フォント、文字サイズの選択入力が完了すると、入力部２０４を操作して「次へ」を選択入力する。制御部２０１は「次へ」が選択入力されたことを認識し、通信部２０５を介して「次へ」が選択入力されたことを示す情報と、選択入力された枠線の有無、フォント、文字サイズの情報とをサーバ１００へ送信する。
【００９４】
制御部１０１は、通信部１０２を介して選択入力された枠線の有無、フォント、文字サイズの情報を取得し、通信部１０２から枠線の有無、フォント、文字サイズの情報をテキスト入力部１０９に出力する。テキスト入力部１０９は、入力されたテキストと、枠線の有無、フォント、文字サイズとを入力可否判定部１１０に入力する。また、入力可否判定部１１０は、ＤＢ１０５から受信ＦＡＸ画像データを取得し、余白検出部１０７からテキスト書込領域の情報を取得する。なお、ステップ４０で選択されたテキスト書込領域の情報は、通信部１０２から入力されている。
【００９５】
入力可否判定部１１０は、入力された情報に基づいて、ステップＳ４０で選択されたテキスト書込領域にステップＳ４６で入力されたテキストをステップＳ５２で入力されたフォント、文字サイズで書き込んだ場合に、テキストが指定されたテキスト書込領域内に収まるかどうかを判断する（ステップＳ５４）。
【００９６】
テキストがテキスト書込領域内に収まらない場合（ステップＳ５４でＮＯ）には、テキスト入力画像を送信するステップ（ステップＳ４２）に戻る。テキストがテキスト書込領域内に収まる場合（ステップＳ５４でＹＥＳ）には、入力可否判定部１１０は、受信ＦＡＸ画像データと、ステップ４０で選択されたテキスト書込領域の情報と、ステップＳ４６で入力されたテキストと、ステップＳ５２で入力された枠線の有無、フォント、文字サイズの情報を画像生成部１１１に出力する。
【００９７】
画像生成部１１１は、受信ＦＡＸ画像データの選択されたテキスト書込領域に、入力されたフォント、文字サイズでテキストを書き込んだ送信用ＦＡＸ画像データを生成し、プレビュー画像生成部１１２へ入力する。プレビュー画像生成部１１２は、画像生成部１１１で生成した送信用ＦＡＸ画像データをプレビュー画像として通信部１０２に出力し、通信部１０２はプレビュー画像を携帯電話２００へ送信する（ステップＳ５６）。
【００９８】
通信部２０５はプレビュー画像を取得して表示制御部２０２に入力する。表示制御部２０２は入力されたプレビュー画像をモニタ２０３に表示する。その結果、図５（ｅ）に示すようなプレビュー画面がモニタ２０３に表示される（ステップＳ５８）。これにより、送信前の送信用画像データをユーザが確認することができる。
【００９９】
プレビュー画面とは、図５（ｅ）に示すように、ステップＳ４０で選択された受信ＦＡＸ画像データのテキスト書込領域に、ステップＳ４４で入力されたテキストを、ステップＳ５４で入力されたフォント、文字サイズでテキストを入力した画像と、テキスト入力画像へのリンクが貼り付けられた「戻る」という文字と、次の処理プログラムへのリンクが貼り付けられた「次へ」という文字とが表示された画像である。ユーザはプレビュー画面を確認して、入力部２０４を操作して、問題が無い場合にはプレビュー画面の「送信」の文字を選択入力し、問題がある場合には「戻る」の文字を選択入力する。
【０１００】
入力部２０４の選択入力の結果は、制御部２０１から通信部２０５に出力され、通信部２０５からサーバ１００へ送信する。制御部１０１は、通信部１０２を介して通信部２０５からの出力結果を取得し、入力部２０４で「送信」の文字が選択入力されたかどうかを判断する（ステップＳ６０）。
【０１０１】
「戻る」の文字が選択入力された場合（ステップＳ６０でＮＯ）には、テキスト入力画像を送信するステップ（ステップＳ４２）に戻る。「送信」の文字が選択入力された場合（ステップＳ６０でＹＥＳ）には、制御部１０１は、プレビュー画像生成部１１２から画像変換部（２）へプレビュー画像を入力する。
【０１０２】
画像変換部（２）１１３は、プレビュー画像生成部１１２から入力されたプレビュー画像をＦＡＸデータの形式に変換し、送信用ＦＡＸデータを生成する（ステップＳ６４）。
【０１０３】
画像変換部（２）１１３は、生成した送信用ＦＡＸデータを通信部１０２に入力する。また、制御部１０１は、ステップＳ３２で選択されたＦＡＸの送信先情報を通信部１０２に入力する。通信部１０２は、送信用ＦＡＸデータと送信先情報とをＦＡＸ送受信装置３００へ送信する（ステップＳ６６）。
【０１０４】
ＦＡＸ送受信装置３００は、送信用ＦＡＸデータと送信先情報とを取得し、送信先情報に含まれるＦＡＸ番号へ取得した送信用ＦＡＸデータを送信する（ステップＳ６８）。
【０１０５】
ＦＡＸ送受信装置３００は、送信先及び送信日時の情報をサーバ１００へ送信する。制御部１０１は通信部１０２を介して送信先及び送信日時の情報を取得し、ＤＢ１０５へ出力する。また、制御部１０１は、プレビュー画像生成部１１２からプレビュー画像を取得し、ＤＢ１０５へ入力する。ＤＢ１０５は、取得したプレビュー画像を送信ＦＡＸ画像データとし、送信ＦＡＸ画像データと、送信先と、送信日時を送信ＦＡＸデータ管理テーブルに保存する（ステップＳ７０）。これにより、送信した結果を送信履歴として参照することができる。
【０１０６】
本実施の形態によれば、受信したＦＡＸを携帯電話で閲覧し、閲覧したＦＡＸにコメントを書き込んで直接携帯電話から送信元へ返信することができる。
【０１０７】
また、本実施の形態によれば、ユーザ宛のＦＡＸを受信すると、携帯電話にメールを送信するため、ユーザが携帯端末を所持しているユーザは、ＦＡＸが受信されたことを知ることができる。
【０１０８】
また、本実施の形態によれば、受信ＦＡＸ画像データからテキスト書込領域を検出し、テキスト書込領域にテキストを書き込むことにより、送信用のＦＡＸの視認性を良くすることができる。また、複数のテキスト書込領域が検出された場合には、ユーザにどこにテキストを書き込むかを選択入力させることにより、ユーザの希望に沿った送信用ＦＡＸ画像データを生成することができる。
【０１０９】
なお、本実施の形態では、ＦＡＸを受信したことを示すメールにサーバのＵＲＬを記載し、ユーザがそのＵＲＬにアクセスすると、受信したＦＡＸの一覧表示画面がモニタ２０３に表示されたが、ＦＡＸを受信したことを示すメールにそのＦＡＸの画像データが保存先のＵＲＬを記載し、ユーザがそのＵＲＬにアクセスすると、そのときに受信したＦＡＸの画像データがモニタ２０３に表示されるようにしてもよい。
【０１１０】
また、本実施の形態では、送信元情報と送信先の携帯電話に割り振られたアドレスとが関連付けられた通知先携帯電話管理テーブルに基づいて、送信元情報で通知先の携帯電話の振り分けを行ったが、通知先携帯電話管理テーブルに携帯電話アドレスのみを保存し、ＦＡＸが受信されたら、保存された全てのアドレスにメールを送信するようにしてもよい。
【０１１１】
また、本実施の形態では、入力部２０４でテキストを入力し、受信ＦＡＸ画像データにテキストを合成したものを送信ＦＡＸ画像データとしたが、受信ＦＡＸ画像テータに合成するものはテキストに限らず、画像を合成してもよいし、テキストと画像とを合成してもよい。なお、画像を合成する場合には、制御部２０１などにアイコンなどの画像の一覧を保存しておき、入力部２０４で合成する画像を選択し、サーバで選択された画像を受信ＦＡＸ画像データに合成して送信ＦＡＸ画像データとすればよい。
【０１１２】
また、本実施の形態は、テキスト入力画像と枠線・フォント設定画像とをサーバ１００から携帯電話２００へ送信することにより、テキスト入力画面や枠線・フォント設定画面をモニタ２０３に表示したが、ビューアアプリケーションをサーバ１００から携帯電話２００へダウンロードし、携帯電話２００上でビューアアプリケーションを駆動してテキスト入力画面や枠線・フォント設定画面を表示するようにしてもよい。
【０１１３】
この場合のモニタ２０３の表示画面を図８に示す。図８（ａ）に示すように、一覧画面にはＦＡＸの送信元情報と、受信日時と、未読か既読の状態のみが表示され、返信ボタンは表示されない。入力部２０４により送信元情報に貼り付けられたリンクが選択されると、制御部２０１はビューアアプリケーションを起動し、ＤＢ１０５に保存された受信ＦＡＸ画像データを取得し、図８（ｂ）に示すように、受信ＦＡＸ画像データと共に返信ボタン表示した閲覧画面をモニタ２０３に表示する。
【０１１４】
入力部２０４により返信ボタンの選択入力がされると、制御部２０１はこれを検出し、モニタ２０３の表示を図８（ｃ）に示すような書き込み領域選択画面に遷移させる。入力部２０４により書き込み領域の選択入力がされると、制御部２０１は、モニタ２０３の表示を図８（ｄ）に示すようなテキスト入力画面に遷移させる。テキスト入力画面には、決定ボタンが表示されており、入力部２０４により決定ボタンの選択入力がされると、制御部２０１はモニタ２０３の表示を図８（ｅ）に示すような枠線・フォント指定画面に遷移させる。枠線・フォント指定画面には、決定ボタンが表示されており、入力部２０４により決定ボタンの選択入力がされると、制御部２０１はモニタ２０３の表示を図８（ｆ）に示すようなプレビュー画面に遷移させる。
【０１１５】
制御部２０１は、これらの表示をビューアアプリケーション上で行う。なお、この実施例のビューアアプリケーションは、サーバ１００に対してリクエストを行い、サーバ１００からのレスポンスを表示するだけのものであり、余白検出・入力可否判定・画像生成などの処理は本実施の形態と同様にサーバ１００側が行うものとする。
【０１１６】
また、本実施の形態は、受信したＦＡＸが１枚の場合を例に説明したが、受信するＦＡＸは１枚に限らず、複数枚の場合もある。この場合には、画像変換部（１）１０３は、複数枚のＦＡＸの各ページ毎に別々の受信ＦＡＸ画像データに変換する。また、一覧画像生成部１０６は、複数枚のＦＡＸを各ページ毎に分けた一覧画像を生成する。例えば、図９に示すように、３枚からなるＦＡＸを受信した場合には、Ｐ．１、Ｐ．２、Ｐ．３をそれぞれ別の項目とし、各ページ毎に閲覧可能なようにＰ．１、Ｐ．２、Ｐ．３のそれぞれにリンクが貼り付けられた一覧画像を生成すればよい。
【０１１７】
なお、本発明は、サーバ、携帯電話及びＦＡＸ送受信装置からなるシステムのみでなく、ＦＡＸ送受信装置の機能を含むサーバ及び携帯電話からなるシステムにも適用することができる。また、本発明は、サーバなどの装置に適用するプログラムとして提供することもできる。
【図面の簡単な説明】
【０１１８】
【図１】本発明が適用されたＦＡＸ閲覧システム１のブロック図である。
【図２】受信ＦＡＸデータ管理テーブルのデータ構成を示す図である。
【図３】通知先携帯電話管理テーブルのデータ構成を示す図である。
【図４】送信ＦＡＸデータ管理テーブルのデータ構成を示す図である。
【図５】モニタ２０３に表示される表示画面の一例であり、（ａ）は一覧画面であり、（ｂ）は書き込み領域選択画面であり、（ｃ）はテキスト入力画面であり、（ｄ）は枠線・フォント指定画面であり、（ｅ）はプレビュー画面である。
【図６】上記ＦＡＸ閲覧システム１の閲覧処理の流れを示すフローチャートである。
【図７】上記ＦＡＸ閲覧システム１の返信処理の流れを示すフローチャートである。
【図８】モニタ２０３に表示される表示画面の別の一例であり、（ａ）は一覧画面であり、（ｂ）は閲覧画面であり、（ｃ）は書き込み領域選択画面であり、（ｄ）はテキスト入力画面であり、（ｅ）は枠線・フォント指定画面であり、（ｆ）はプレビュー画面である。
【図９】モニタ２０３に表示される一覧画面の別の一例である。
【符号の説明】
【０１１９】
１：ＦＡＸ閲覧システム、１００：サーバ、１０１：制御部、１０２：通信部、１０３：画像変換部（１）、１０４：メール生成部、１０５：データベース（ＤＢ）、１０６：一覧画像生成部、１０７：余白検出部、１０８：書き込み領域表示部、１０９：テキスト入力部、１１０：入力可否判定部、１１１：画像生成部、１１２：プレビュー画像生成部、１１３：画像変換部（２）、２００：携帯電話、２０１：制御部、２０２：表示制御部、２０３：モニタ、２０４：入力部、２０５：通信部、３００：ＦＡＸ送受信装置
【図１】
2010061225.tif 000003
【図２】
2010061225.tif 000004
【図３】
2010061225.tif 000005
【図４】
2010061225.tif 000006
【図５】
2010061225.tif 000007
【図６】
2010061225.tif 000008
【図７】
2010061225.tif 000009
【図８】
2010061225.tif 000010
【図９】
2010061225.tif 000011